(57)【要約】【課題】人が乗っている状態での滑り移動を少ない労力で効率良く容易に行うことができるとともに、床面等の被滑走面の凹凸の影響を受け難く、操向性も改善することのできる敷物を提供する。【解決手段】少なくとも人が正座可能な大きさを備えた敷物であって、人と接する柔軟な上面層１と低摩擦処理が施されている下面層２との間に、中間層としてのクッション体３が設けられているとともに、このクッション体３と下面層２との間には、荷重分散用の板状体４が介在されている。【選択図】        図１
2004236820.tif 000002
【特許請求の範囲】
【請求項１】
少なくとも人が正座可能な大きさを備えた敷物であって、
人と接する柔軟な上面層と低摩擦処理が施されている下面層との間に、中間層としてのクッション体が設けられているとともに、このクッション体と下面層との間には、荷重分散用の板状体が介在されている敷物。
【請求項２】
前記板状体の周縁部の特定箇所には掛止部が形成されているとともに、掛止部に止め付けられた索状体を表面側に導出可能に構成されている請求項１記載の敷物。
【請求項３】
前記板状体の周縁部の特定箇所には、表面側に露出可能な掛止部が形成されている請求項１記載の敷物。
【請求項４】
前記クッション体が熱可塑性樹脂製の網状弾性体から構成されている請求項１〜３のいずれか１項に記載の敷物。
【請求項５】
前記板状体が、ポリエステル製シートから構成されている請求項１〜４のいずれか１項に記載の敷物。
【発明の詳細な説明】
【０００１】
【発明の属する技術分野】
本発明は、少なくとも人が正座可能な大きさを備えた座布団やマットレス等の敷物に関する。
【０００２】
【従来の技術】
近年、介助の必要な障害児や高齢者が着座した姿勢のまま屋内を自由に移動できるように、その着座した座布団を移動手段として利用することが提案されており、また、屋外においても、緊急避難時に重度の怪我により動くことができない人や寝たきり高齢者を移動する方法として、仰臥しているマットレスを移動手段として利用することが提案されている。
【０００３】
そして、敷物の一例である座布団を移動手段として利用するにあたって、従来では、摩擦係数の大きな素材からなる柔軟な織編物製の上面層と、クッション体からなる中間層と、低摩擦処理した柔軟で滑らかな下面層とをこの順番で上下方向に配置したものが提案されている（例えば、特許文献１  参照）。
【０００４】
【特許文献１】
特開平２００１  −１６９８６４号公報（第２−３頁、図１、図２）
【０００５】
【発明が解決しようとする課題】
従来の座布団では、上面層を構成する柔軟な織編物と中間層を構成するクッション体とにより、快適な座り心地と衝撃吸収性を得ることができるとともに、低摩擦処理された下面層によって滑り移動時の摺接抵抗を低減することができるものの、着座した人の荷重が織編物製の上面層と中間層のクッショ体を介して下面層の特定部位に集中的に加わり、下面層が局部的に大きな力で床面等の被滑走面に押し付けられるため、座布団の移動時の操向性が悪くなるとともに、その移動に多大の労力を要する問題があった。
【０００６】
本発明は、上述の実状に鑑みて為されたものであって、その主たる課題は、人が乗っている状態での滑り移動を少ない労力で効率良く容易に行うことができるとともに、床面等の被滑走面の凹凸の影響を受け難く、操向性も改善することのできる敷物を提供する点にある。
【０００７】
【課題を解決するための手段】
本発明の請求項１による特徴構成は、少なくとも人が正座可能な大きさを備えた敷物であって、
人と接する柔軟な上面層と低摩擦処理が施されている下面層との間に、中間層としてのクッション体が設けられているとともに、このクッション体と下面層との間には、荷重分散用の板状体が介在されている点にある。
【０００８】
上記特徴構成によれば、着座又は仰臥した人の荷重が柔軟な上面層を介して中間層のクッション体の特定部位に集中的に加わっても、この集中荷重をクッション体と下面層との間に介装された板状体により広く分散することができ、しかも、床面等の被滑走面と接する下面層が低摩擦処理されていることも相俟って、人が乗っている状態での滑り移動に要する労力が小さくなる。更に、移動方向に対して直交する左右方向での摺接抵抗の均等化により、移動時における操向操作の容易化を図ることができる。
【０００９】
従って、人が乗っている状態での滑り移動を少ない労力で効率良く容易に行うことができ、しかも、床面等の被滑走面の凹凸の影響を受け難く、心地良い移動が可能であるとともに、引張移動時における操向操作性も改善することができた。
【００１０】
本発明の請求項２による敷物の特徴構成は、前記板状体の周縁部の特定箇所には掛止部が形成されているとともに、掛止部に止め付けられた索状体を表面側に導出可能に構成されている点にある。
【００１１】
上記特徴構成によれば、敷物の表面に導出された索状体を引張操作することにより、引張操作力が索状体を介して荷重分散用の強度の大きな板状体に伝達されるから、大きな引張操作力が下面層や上面層等に局部的に加えられることに起因する破損を抑制することができる。
【００１２】
本発明の請求項３による敷物の特徴構成は、前記の周縁部の特定箇所には、表面側に露出可能な掛止部が形成されている点にある。
【００１３】
上記特徴構成によれば、敷物の表面に露出可能な板状体の掛止部を引張操作することにより、荷重分散用の強度の大きな板状体に引張操作力が伝達されるから、大きな引張操作力が下面層や上面層等に局部的に加えられることに起因する破損を抑制することができる。
【００１４】
本発明の請求項４による敷物の特徴構成は、前記クッション体が熱可塑性樹脂製の網状弾性体から構成されている点にある。
【００１５】
上記特徴構成によれば、クッション体が独立気泡体又は連続気泡体から構成されている場合に比して、リサイクル性、通気性、使用者の体圧分散性を高めることができる。
【００１６】
本発明の請求項５による敷物の特徴構成は、前記板状体が、ポリエステル製シートから構成されている点にある。
【００１７】
上記特徴構成によれば、板状体としては荷重分散可能な強度を備えた硬質のものであれば、例えば、ガラス、金属板、各種ポリマーシート（編物、織物、不織布等の布帛）等の任意の素材を用いることができるが、環境面の点からポリエステル製シートが好ましい。
【００１８】
【発明の実施の形態】
〔第１実施形態〕
図１〜図３は、少なくとも人が正座可能な大きさを備えた敷物Ａの一例である平面視略正方形状の座布団を示し、人と接する柔軟な織編物製の上面層１と低摩擦処理が施されている下面層２との間に、中間層としてのクッション体３が設けられ、このクッション体３と下面層２との間には、荷重分散用の硬板層を構成する硬質の板状体４が介在されているとともに、前記板状体４の周縁部の特定部位の一例である各角部４ａには、掛止部の一例である掛止孔５が貫通形成され、更に、各掛止孔５には、索状体の一例であるループ状の牽引紐６が、その先端側を座布団Ａの表面側に導出させた状態で締結等の適宜掛止手段により止め付けられている。
【００１９】
前記表面層１としては、使用条件や使用者の要求性能によって異なるが、木綿、羊毛、絹、麻等の天然繊維、ポリエステル、ポリアミド、ポリアクリロニトリル等の合成繊維、レーヨン等の再生繊維、アスベスト、ガラス繊維等の無機繊維等から選ばれる繊維からなる不織布、織物、編物、若しくは、積層物等が用いられる。
【００２０】
また、必要に応じて、抗菌防臭性、制菌性、消臭性、ノネナール消臭性、吸湿性、放湿性、ｐＨ緩衝性、制電性、防汚性、抗ピル性の多機能を発現させることもできる。その加工方法は、特に限定されない。
【００２１】
前記クッション体３としては、網状弾性体、独立気泡体（ポリウレタン、塩化ビニル系樹脂、ポリエチレン、ポリプロピレン、ＡＢＳ等）及び連続気泡体（ポリウレタン、天然ゴム（ラテックス）、合成ゴム、塩化ビニル系樹脂等）、木綿綿、羊毛綿、高分子ゲル、非弾性捲縮繊維詰綿、非弾性捲縮繊維に接着した樹脂棉や硬綿、及び空気クッション（エアクッション）等の単体或いは積層したものを用いることができる。特に、リサイクル性、快適性  （介助者の体圧分散性、むれ感等）の観点から、網状弾性体が好ましい。
【００２２】
網状弾性体を形成する熱可塑性樹脂は、ポリオレフィン系、ポリエステル系、ポリウレタン系などの熱可塑性樹脂エラストマーが好ましく、より好ましくはポリエステル系熱可塑性エラストマーである。
【００２３】
ポリエステル系エラストマーとしては、熱可塑性ポリエステルをハードセグメントとし、ポリアルキレンジオールをソフトセグメントとするポリエステルエーテルブロック共重合体、又は、脂肪族ポリエステルをソフトセグメントとするポリエステルエーテルブロック共重合体が例示できる。
【００２４】
ポリエステルエーテルブロック共重合体のより具体的な事例としては、テレフタル酸、イソフタル酸、ナフタレン・２，６−ジカルボン酸、ナフタレン・２，７−ジカルボン酸、ジフェニル−４，４’  −ジカルボン酸等の芳香族ジカルボン酸、１，４−シクロヘキサンジカルボン酸等の脂環族ジカルボン酸、琥珀酸、アジピン酸、セバチン酸、ダイマー酸等の脂肪族ジカルボン酸又は、これらのエステル形成性誘導体などから選ばれたジカルボン酸の少なくとも１種と、１，４−  ブタンジオール、エチレングリコール、トレメチレングリコール、テトレメチレングリコール、ペンタメチレングリコール、ヘキサメチレングリコール等の脂肪族ジオール、１，１  −シクロヘキサンジメタノール、１，４−シクロヘキサンジメタノール等の脂環族ジオール、又はこれらのエステル形成性誘導体などから選ばれたジオール成分の少なくとも１  種，及び平均分子量が約３００〜５０００のポリエチレングリコール、ポリプロピレングリコール、ポリテトラメチレングリコール、エチレンオキシド−プロピレンオキシド共重合体等のポリアルキレンジオールのうち少なくとも１種から構成される三元ブロック共重合体である。
【００２５】
ポリエステルエステルブロック共重合体としては、上記ジカルボン酸とジオール及び平均分子量が約３００〜３０００のポリラクトン等のポリエステルジオールのうち少なくとも各１種から構成される三元ブロック共重合体である。
熱接着性、耐加水分解性、伸縮性、耐熱性等を考慮すると、ジカルボン酸としてはテレフタル酸、及び／又はナフタレン−２，６−ジカルボン酸、ジオール成分としては１，４・ブタンジオール、ポリアルキレンジオールとしてはポリテトラメチレングリコールの三元ブロック共重合体又は、ポリエステルジオールとしてのポリラクトンの三元ブロック共重合体が特に好ましい。
【００２６】
特殊な例では、ポリシロキサン系のソフトセグメントを導入したものも使うことができる。また、上記ポリエステルエラストマーは単独又は２種類以上混合して使用できる。更には、ポリエステルエラストマーに非エラストマー成分をブレンドされたもの、共重合したもの等も本発明に使用できる。
【００２７】
本発明の網状構造体は、抗菌性や撥水性、耐水性、耐熱性であることが好ましく、これらの特性を発揮させるために、原料の熱可塑性樹脂中にこれらの添加剤を含有させたり、これらの特性を発揮する加工剤で処理することが好ましい。
【００２８】
網状構造体は、必要に応じて、可塑剤、安定剤、紫外線吸収剤、帯電防止剤、防黴剤、着色剤、酸化防止剤、難燃剤、消臭剤、抗菌剤、マイクロカプセル型等の熱膨張剤、加工助剤等の公知の添加剤を添加することができる。
【００２９】
前記板状体４としては、座布団Ａに着座した使用者の荷重（体重）を分散支持可能な強度を備えた硬質のものであれば、例えば、ガラス、金属板、各種ポリマーシート（編物、織物、不織布等の布帛）等の任意の素材を用いることができるが、環境面の点からポリエステル製のシートが好ましい。
【００３０】
前記下面層２としては、木綿、羊毛、絹、麻等の天然繊維、ポリエステル、ポリアミド、ポリアクリロニトリル等の合成繊維、レーヨン等の再生繊維、アスベスト、ガラス繊維等の無機繊維等から選ばれる繊維からなる不織布、織物、編物、若しくは、積層物等に、低摩擦処理、例えば、ポリテトラフロロエチレン又はシリコンコーティング処理を施した構造体を用いることができる。
【００３１】
尚、敷物Ａを構成する上述の座布団やマットレスの形状は、限定するものではないが、長方形、正方形、円形、楕円形、菱形等の任意の形状を用いることができるとともに、大きさも、特に限定するものではない。
【００３２】
本発明について用いた評価方法は下記の通りである。
（１）物性評価
嵩密度の評価方法：試料クッションを２０℃６５％ＲＨ環境下へ２４時間放置して、試料重量を測定し、嵩密度を算出した。
（２）臨床評価
試料（座布団）を介助者１２名、要介助者１２名で使用して以下の評価を行った。
（３）移動性
市販の畳の上に置かれた試料の上に、要介助者が座り、それを介助者が１０ｍ移動したときの疲労感の程度を主観評価した。
【００３３】
試料の作成方法
［実施例１］
表面層１：ブロード織物（綿１００％、経糸４０番手の木綿糸×緯糸４０番手の木綿糸、経糸密度１３０本／２．４５ｃｍ×緯糸密度７０本／２．４５ｃｍ）を製織した。また公知の方法で仕上げ加工まで実施した。
クッション体３：ポリエステル系熱可塑性エラストマー（ペルプレン４０Ｂ、東洋紡績社製）からなる網状構造体（ブレスエア、東洋紡績社製、空隙率９５％、見掛け密度５５ｋｇ／ｍ３  、厚さ３．５ｃｍ、縦方向（経方向）４０ｃｍ、横方向（幅方向）４０ｃｍ）を用いて作成した。
板状体４：ポリエチレン製不織布（東洋紡績社製、スパンボンドシート、品番ＮＰ−５００Ｐ、見掛け密度５００ｇ／ｍ３  、縦方向４０ｃｍ、横方向４０ｃｍ）を用いて作成した。
下面層２：ブロード織物（綿１００％、経糸３０番手の木綿糸×緯糸３０番手の木綿糸、経糸密度１９０本／２．４５ｃｍ×緯糸密度１００本／２．４５ｃｍ）を製織するとともに、公知の低摩擦処理（シリコンコーティング処理）を施した。
上記表面層１、クッション体３、板状体４、下面層２を組み合わせて、敷物Ａの一例である座布団を作成した。
【００３４】
［比較例１］
上記［実施例１］で説明した座布団と同様に、板状体４を用いずに座布団を作成した。
【００３５】
［実施例２］
表面層１：ブロード織物（綿１００％、経糸４０番手の木綿糸×緯糸４０番手の木綿糸、経糸密度１３０本／２．４５ｃｍ×緯糸密度７０本／２．４５ｃｍ）を製織した。また公知の方法で仕上げ加工まで実施した。
クッション体３：ポリエステル系熱可塑性エラストマー（ペルプレン４０Ｂ、東洋紡績社製）からなる網状構造体（ブレスエア、東洋紡績社製、空隙率９５％、見掛け密度４５ｋｇ／ｍ３  、厚さ８．０ｃｍ、縦方向２００ｃｍ、横方向１００ｃｍ）を用いて作成した。
板状体４：ポリエチレン製不織布（東洋紡績社製、スパンボンドシート、品番ＮＰ−５００Ｐ、見掛け密度５００ｇ／ｍ３  、縦方向２００ｃｍ、横方向１００ｃｍ）を用いて作成した。
下面層２：ブロード織物（綿１００％、経糸３０番手の木綿糸×緯糸３０番手の木綿糸、経糸密度１９０本／２．４５ｃｍ×緯糸密度１００本／２．４５ｃｍ）を製織するとともに、公知の低摩擦処理（シリコンコーティング処理）を施した。
上記表面層１、クッション体３、板状体４、下面層２を組み合わせて、敷物Ａの一例であるマットレスを作成した。
【００３６】
［比較例２］
上記［実施例２］で説明したマットレスと同様に、板状体４を用いずにマットレスを作成した。
【００３７】
そして、下記の［表１］の臨床評価結果に示すように、要介助者が座った各試料を介助者が１０ｍ移動したときの疲労感を見ると、荷重分散用の板状体４が設けられている本発明の座布団及びマットレスの場合は、疲れない又は殆ど疲れないとの主観的評価を得たが、板状体４が設けられていない座布団及びマットレスの場合は、やや疲れた又は疲れたとの主観的評価がでた。
【００３８】
【表１】
2004236820.tif 000003
【００３９】
それ故に、着座又は仰臥した人の荷重が柔軟な上面層１を介して中間層のクッション体３の特定部位に集中的に加わっても、この集中荷重をクッション体３と下面層２との間に介装された板状体４により広く分散することができ、しかも、畳や床面等の被滑走面と接する下面層２が低摩擦処理されているので、人が乗っている状態での滑り移動に要する労力を大幅に軽減することができる。更に、移動方向に対して直交する左右方向（横方向）での摺接抵抗の均等化により、移動時における操向操作の容易化を図ることができる。
【００４０】
従って、人が乗っている状態での滑り移動を少ない労力で効率良く容易に行うことができ、しかも、畳や床面等の被滑走面の凹凸の影響を受け難く、心地良い移動が可能であるとともに、引張移動時における操向操作性も改善することができる。
【００４１】
〔第２実施形態〕
上述の第１実施形態では、前記板状体４の周縁部の特定部位の一例である各角部４ａに、掛止部の一例である掛止孔５を貫通形成し、各掛止孔５に、索状体の一例であるループ状の牽引紐６を、その先端側が座布団Ａの表面側に突出する状態で掛け止めるように構成したが、図４に示すように、前記板状体４の周縁部の特定箇所の一例である各角部４ａに、座布団等の敷物Ａの表面側に露出可能な状態で突出する掛止部５を一体形成してもよい。
【００４２】
前記掛止部５は、常時敷物の特定箇所に露出していてもよいが、通常は、上面層１又は下面層２の一部で覆い隠されていて、必要なときに掛止部５を自由に露出させることができるように構成してもよい。
【００４３】
また、前記掛止部５としては、板状体４の周縁部の特定部位に貫通形成された掛止孔に限定されるものではなく、把手形状等に成形された別体の掛止部５を板状体４に固着してもよい。
尚、その他の構成は、第１実施形態で説明した構成と同一であるから、同一の構成箇所には、第１実施形態と同一の番号を付記してそれの説明は省略する。
【００４４】
〔第３実施形態〕
上述の各実施形態では、前記板状体４を扁平状に構成したが、図５に示すように、少なくとも移動方上手側の側辺部４ｂを、その先端側ほど上方に位置する傾斜姿勢又は湾曲姿勢に形成してもよい。
尚、その他の構成は、第１実施形態で説明した構成と同一であるから、同一の構成箇所には、第１実施形態と同一の番号を付記してそれの説明は省略する。
【図面の簡単な説明】
【図１】本発明の第１実施形態を示す座布団の模式図的な断面正面図
【図２】座布団の模式図的な断面平面図
【図３】座布団の模式図的な要部の拡大断面正面図
【図４】第２実施形態を示す座布団の模式図的な断面平面図
【図５】第３実施形態を示す座布団の模式図的な断面正面図
【符号の説明】
Ａ      敷物（座布団、マットレス）
１      上面層
２      下面層
３      クッション体
４      板状体
４ａ    特定部位（角部）
５      掛止部（掛止孔）
６      索状体（牽引紐）
【図１】
2004236820.tif 000004
【図２】
2004236820.tif 000005
【図３】
2004236820.tif 000006
【図４】
2004236820.tif 000007
【図５】
2004236820.tif 000008